【手続補正書】
【提出日】令和2年4月21日(2020.4.21)
【手続補正１】
【補正対象書類名】明細書
【補正対象項目名】００６７
【補正方法】変更
【補正の内容】
【００６７】
本開示を通して、範囲が提供される。範囲に包含される各別個の値も含まれることが想定される。さらに、明白に開示された範囲に包含される各別個の値によって形成され得る範囲も、等しく想定される。
以下、本発明の好ましい実施形態を項分け記載する。
実施形態１
残油から生コークス及び燃料グレードコークスを生成する方法であって、
前記残油及び炭素数Ｃｎを有する第１のパラフィン系溶剤を第１の溶剤脱れきユニットに導入して、高品質脱れき油（ＨＱＤＡＯ）留分及び第１のアスファルト留分を生成することと、
ディレードコーカーに前記ＨＱＤＡＯ留分を送って生コークスを生成することと、
前記第１のアスファルト留分の少なくとも一部及びＣｎ＋１の炭素数の第２のパラフィン系溶剤を第２の溶剤脱れきユニットに送って、低品質脱れき油（ＬＱＤＡＯ）留分及び第２のアスファルト留分を生成することと、
前記ディレードコーカーに前記ＬＱＤＡＯ留分を送って、前記燃料グレードコークスを生成することと、
を含む、方法。
実施形態２
第１の期間の間、前記ＨＱＤＡＯ留分を前記ディレードコーカーに送って、生コークスを生成し、第２の期間の間、前記ＬＤＱＤＡＯ留分を前記ディレードコーカーに送って、燃料グレードコークスを生成し、前記第１の期間が前記第２の期間の前に生じるか、または前記第１の期間が前記第２の期間の後に生じる、実施形態１に記載の方法。
実施形態３
前記ＨＱＤＡＯ留分及び前記ＬＱＤＡＯ留分を、前記ディレードコーカーに同時に送る、実施形態１に記載の方法。
実施形態４
前記生コークスをか焼して、アノードコークス、ニードルコークス、またはそれらの組み合わせを生成することをさらに含む、実施形態１〜３のいずれかに記載の方法。
実施形態５
前記第２のアスファルト留分をさらなるアスファルト利用及び転換工程に供することをさらに含む、実施形態１〜４のいずれかに記載の方法。
実施形態６
前記第１のアスファルト留分をさらなるアスファルトの利用及び転換工程に供することをさらに含む、実施形態１〜５のいずれかに記載の方法。
実施形態７
前記ディレードコーカーは、デュアルディレードコーキングドラムを備える、実施形態１〜６のいずれかに記載の方法。
実施形態８
前記ディレードコーカーに前記ＨＱＤＡＯ留分を送る前に、前記ＨＱＤＡＯ留分を吸着カラムに送ることをさらに含む、実施形態１〜７のいずれかに記載の方法。
実施形態９
前記吸着カラムが充填カラムである、実施形態８に記載の方法。
実施形態１０
前記吸着カラムが２つのカラムを含む、実施形態８または９に記載の方法。
実施形態１１
前記ディレードコーカーに前記ＨＱＤＡＯ留分を送る前に、前記ＨＱＤＡＯ留分を第１の水素処理装置に送ることをさらに含む、実施形態１〜１０のいずれかに記載の方法。
実施形態１２
前記ディレードコーカーに前記ＬＱＤＡＯ留分を送る前に、前記ＬＱＤＡＯ留分を第２の水素化処理装置に送ることをさらに含む、実施形態１〜１１のいずれかに記載の方法。
実施形態１３
前記第１のパラフィン系溶剤はプロパンを含み、前記第２のパラフィン系溶剤はペンタンを含む、実施形態１〜１２のいずれかに記載の方法。
実施形態１４
前記残油に対する前記第１のパラフィン系溶剤の比が２〜２０である、実施形態１〜１３のいずれかに記載の方法。
実施形態１５
前記残油に対する前記第１のパラフィン系溶剤の比が５〜１０である、実施形態１〜１４のいずれかに記載の方法。
実施形態１６
残油から生コークス及び燃料グレードコークスを生成するためのシステムであって、
前記残油及び炭素数Ｃｎを有する第１のパラフィン系溶剤から高品質脱れき油（ＨＱＤＡＯ）留分及び第１のアスファルト留分を生成するように構成されている第１の溶剤脱れきユニットと、
前記第１の溶剤脱れきユニットの下流にある第２の溶剤脱れきユニットであって、前記第１のアスファルト留分及びＣｎ＋１の炭素数を有する第２のパラフィン系溶剤から低品質脱れき油（ＬＱＤＡＯ）留分及び第２のアスファルト留分を生成するように構成されている、第２の溶剤脱れきユニットと、
前記第１の溶剤脱れきユニット及び前記第２の溶剤脱れきユニットと流体連通するディレードコーカーであって、前記ＨＱＤＡＯ留分から生コークスを生成するように構成され、前記ＬＱＤＡＯ留分から燃料コークスを生成するように構成されている、ディレードコーカーと、
を備える、システム。
実施形態１７
前記第１の溶剤脱れきユニットの下流かつ前記ディレードコーカーの上流に配置された吸着カラムをさらに備える、実施形態１６に記載のシステム。
実施形態１８
前記吸着カラムが少なくとも１つの充填カラムを含む、実施形態１７に記載のシステム。
実施形態１９
前記第１の溶剤脱れきユニットの下流かつ前記ディレードコーカーの上流に配置された第１の水素処理装置をさらに備える、実施形態１６〜１８のいずれかに記載のシステム。
実施形態２０
前記第２の溶剤脱れきユニットの下流かつ前記ディレードコーカーの上流に配置された第２の水素処理装置をさらに備える、実施形態１６〜１９のいずれかに記載のシステム。
【手続補正２】
【補正対象書類名】特許請求の範囲
【補正対象項目名】全文
【補正方法】変更
【補正の内容】
【特許請求の範囲】
【請求項１】
残油から生コークス及び燃料グレードコークスを生成する方法であって、
前記残油及び炭素数Ｃｎを有する第１のパラフィン系溶剤を第１の溶剤脱れきユニットに導入して、高品質脱れき油（ＨＱＤＡＯ）留分及び第１のアスファルト留分を生成することであって、ｎが３から７であることと、
ディレードコーカーに前記ＨＱＤＡＯ留分を送って生コークスを生成することと、
前記第１のアスファルト留分の少なくとも一部及び４から８の炭素数を有する第２のパラフィン系溶剤を第２の溶剤脱れきユニットに送って、低品質脱れき油（ＬＱＤＡＯ）留分及び第２のアスファルト留分を生成することであって、前記第２のパラフィン系溶剤の炭素数が少なくともＣｎ＋１によるものであることと、
前記ディレードコーカーに前記ＬＱＤＡＯ留分を送って、前記燃料グレードコークスを生成することと、
を含む、方法。
【請求項２】
第１の期間の間、前記ＨＱＤＡＯ留分を前記ディレードコーカーに送って、生コークスを生成し、第２の期間の間、前記ＬＤＱＤＡＯ留分を前記ディレードコーカーに送って、燃料グレードコークスを生成し、前記第１の期間が前記第２の期間の前に生じるか、または前記第１の期間が前記第２の期間の後に生じる、請求項１に記載の方法。
【請求項３】
前記ＨＱＤＡＯ留分及び前記ＬＱＤＡＯ留分を、前記ディレードコーカーに同時に送る、請求項１に記載の方法。
【請求項４】
前記生コークスをか焼して、アノードコークス、ニードルコークス、またはそれらの組み合わせを生成することをさらに含む、請求項１〜３のいずれかに記載の方法。
【請求項５】
前記第２のアスファルト留分をさらなるアスファルト利用及び転換工程に供することをさらに含む、請求項１〜４のいずれかに記載の方法。
【請求項６】
前記第１のアスファルト留分をさらなるアスファルトの利用及び転換工程に供することをさらに含む、請求項１〜５のいずれかに記載の方法。
【請求項７】
前記ディレードコーカーは、デュアルディレードコーキングドラムを備える、請求項１〜６のいずれかに記載の方法。
【請求項８】
前記ディレードコーカーに前記ＨＱＤＡＯ留分を送る前に、前記ＨＱＤＡＯ留分を吸着カラムに送ることをさらに含む、請求項１〜７のいずれかに記載の方法。
【請求項９】
前記吸着カラムが充填カラムである、請求項８に記載の方法。
【請求項１０】
前記ディレードコーカーに前記ＨＱＤＡＯ留分を送る前に、前記ＨＱＤＡＯ留分を第１の水素処理装置に送ることと、
前記ディレードコーカーに前記ＬＱＤＡＯ留分を送る前に、前記ＬＱＤＡＯ留分を第２の水素化処理装置に送ることと、
をさらに含む、請求項１〜９のいずれかに記載の方法。
【請求項１１】
前記第１のパラフィン系溶剤はプロパンを含み、前記第２のパラフィン系溶剤はペンタンを含む、請求項１〜１０のいずれかに記載の方法。
【請求項１２】
前記残油に対する前記第１のパラフィン系溶剤の比が２〜２０である、請求項１〜１１のいずれかに記載の方法。
【請求項１３】
残油から生コークス及び燃料グレードコークスを生成するためのシステムであって、
前記残油及び炭素数Ｃｎを有する第１のパラフィン系溶剤から高品質脱れき油（ＨＱＤＡＯ）留分及び第１のアスファルト留分を生成するように構成されている第１の溶剤脱れきユニットであって、ｎが３から７である、第１の溶剤脱れきユニットと、
前記第１の溶剤脱れきユニットの下流にある第２の溶剤脱れきユニットであって、前記第１のアスファルト留分及び４から８の炭素数を有する第２のパラフィン系溶剤から低品質脱れき油（ＬＱＤＡＯ）留分及び第２のアスファルト留分を生成するように構成されている、第２の溶剤脱れきユニットであって、前記第２のパラフィン系溶剤の炭素数が少なくともＣｎ＋１によるものである、第２の溶剤脱れきユニットと、
前記第１の溶剤脱れきユニット及び前記第２の溶剤脱れきユニットと流体連通するディレードコーカーであって、前記ＨＱＤＡＯ留分から生コークスを生成するように構成され、前記ＬＱＤＡＯ留分から燃料コークスを生成するように構成されている、ディレードコーカーと、
を備える、システム。
【請求項１４】
前記第１の溶剤脱れきユニットの下流かつ前記ディレードコーカーの上流に配置された吸着カラムをさらに備える、請求項１３に記載のシステム。
【請求項１５】
前記第１の溶剤脱れきユニットの下流かつ前記ディレードコーカーの上流に配置された第１の水素処理装置と、
前記第２の溶剤脱れきユニットの下流かつ前記ディレードコーカーの上流に配置された第２の水素処理装置と、
をさらに備える、請求項１３または１４に記載のシステム。